(57)【要約】【課題】フィールド機器を制御するホストシステムのセキュリティを向上させる。【解決手段】制御装置３がフィールド機器６の制御項目を選択不可にする第１の画像と、フィールド機器６の制御項目を選択可能にする第２の画像とを生成し、ＬＣＤ２が第１の画像を表示することを前提にして、無線携帯キー１を所有しているユーザが制御装置３に近づくと、制御装置３は、無線携帯キー１から送信された制御項目の選択操作を許可するためのキー信号Ｄ１を受信して、ＬＣＤ２に表示された第１の画像を第２の画像に切り換える。これにより、第２の画像からフィールド機器６の制御項目が選択操作されることで、フィールド機器６の設定変更の制御を許可できるようになる。この結果、無線携帯キー１を所有していないユーザが制御装置３を操作して、フィールド機器６の設定を変更してしまうことを防止でき、セキュリティを向上できる。【選択図】図１
2011091615.tif 000002
【特許請求の範囲】
【請求項１】
外部機器の制御項目を選択不可にする第１の画像、又は、前記制御項目を選択可能にす
る第２の画像を表示する表示装置と、
前記制御項目の選択操作を許可するためのキー信号を所定の範囲内に無線で送信する無
線携帯キーと、
前記第１及び第２の画像を生成し、前記無線携帯キーから送信されるキー信号を受信し
、該受信した前記キー信号に基づいて、前記表示装置に表示された前記第１の画像を前記
第２の画像に切り換える制御装置とを備えることを特徴とするキーレスエントリシステム
。
【請求項２】
前記制御装置には前記制御項目の選択操作を許可するためのＯＮ信号を生成する入力装
置が接続され、
前記制御装置は、
前記入力装置によって生成されたＯＮ信号を受信し、かつ、前記キー信号を受信すると
、前記表示装置に表示された前記第１の画像を前記第２の画像に切り換えることを特徴と
する請求項１に記載のキーレスエントリシステム。
【請求項３】
前記入力装置は、
前記制御項目の選択操作を禁止するためのＯＦＦ信号を生成し、
前記制御装置は、
前記入力装置によって生成されたＯＦＦ信号を受信すると、前記表示装置に表示された
前記第２の画像を前記第１の画像に切り換えることを特徴とする請求項２に記載のキーレ
スエントリシステム。
【請求項４】
前記制御装置には、ユーザの指紋が指紋情報として登録されている指紋認証装置が接続
され、
前記指紋認証装置は、
ユーザの指紋を読み取って、該読み取ったユーザの指紋と登録されている指紋情報とが
一致するか否かを判断し、該判断したユーザの指紋と前記指紋情報とが一致する場合に認
証信号を生成し、
前記制御装置は、
前記ＯＮ信号を受信し、かつ、前記指紋認証装置によって生成された認証信号を受信す
ると、前記表示装置に表示された前記第１の画像を前記第２の画像に切り換えることを特
徴とする請求項２又は３に記載のキーレスエントリシステム。
【請求項５】
前記入力装置からパスワードが入力されて、前記制御装置が前記パスワードを登録した
とき、
前記制御装置は、
前記ＯＮ信号を受信し、かつ、登録したパスワードが前記入力装置によって入力される
と、前記表示装置に表示された前記第１の画像を前記第２の画像に切り換えることを特徴
とする請求項２乃至４のいずれかに記載のキーレスエントリシステム。
【請求項６】
前記制御装置にはタイマが設けられ、
前記タイマは、
所定の時間を経過すると、前記表示装置に表示された前記第２の画像を前記第１の画像
に切り換えることを特徴とする請求項１乃至５のいずれかに記載のキーレスエントリシス
テム。
【請求項７】
前記外部機器には、フィールド機器又は携帯端末装置が含まれることを特徴とする請求
項１乃至６のいずれかに記載のキーレスエントリシステム。
【発明の詳細な説明】
【技術分野】
【０００１】
本発明は、制御装置が無線携帯キーから無線送信されるキー信号を受信するか否かによ
って外部機器の制御を許可又は禁止するキーレスエントリシステムに関するものである。
【背景技術】
【０００２】
一般に、プラントでフィールド機器等を監視、管理するホストシステムは、関係者以外
の者が立ち入りを禁止するセキュリティエリア内に設置されている。このホストシステム
は、当該ホストシステム自体に鍵やパスワード等のセキュリティ手段が設けられ、関係者
以外の者が不正に当該ホストシステムにアクセスすることに対して保護されている。
【０００３】
例えば、特許文献１には情報記憶装置のセキュリティシステムが開示されている。この
セキュリティシステムは、インタフェースを介して接続された外部機器へパスワードを出
力しないで、情報記憶装置のみにパスワードを通知するパスワード入力部と、パスワード
入力部によって入力されたパスワードを情報記憶装置に記憶されたパスワードと照合する
パスワード照合部と、パスワードが照合されたことに応じて、外部機器からのアクセスを
許可するアクセス許可部とを備える。これにより、セキュリティシステムは、外部機器を
介してのパスワードの漏洩を防止する。
【０００４】
また、例えば、特許文献２には車両に設けられるキーレスエントリシステムが開示され
ている。このキーレスエントリシステムは、車両に搭載され、ドアロック／アンロック用
アクチュエータが設けられる車載無線装置と、この車載無線装置に対して電波（呼出信号
）の送受信を行う携帯無線装置とを備える。これにより、携帯無線装置から送信された呼
出信号によって車載無線装置に設けられたドアロック／アンロック用アクチュエータが動
作して車両のドアを施錠又は開錠する。
【先行技術文献】
【特許文献】
【０００５】
【特許文献１】特開２００５−２０９０３８号公報
【特許文献２】特開平１１−１２５０４３号公報
【発明の概要】
【発明が解決しようとする課題】
【０００６】
ところで、特許文献１のセキュリティシステムによれば、パスワードの漏洩を防止し、
セキュリティを高めることができるが、ユーザはパスワードを管理しなくてならず、例え
ば、他人にパスワードを誤って教えたり、パスワードを定期的に変更しなかったり、机に
パスワードを記した付箋等を貼ってしまう等のセキュリティの脆弱性が存在する問題があ
る。
【０００７】
また、特許文献２のキーレスエントリシステムによれば、車両のドアを施錠又は開錠で
きるが、プラントのフィールド機器等を制御するホストシステムに適用することは困難で
ある。
【０００８】
本発明は、このような課題を解決したものであって、ホストシステムに適用でき、利便
性及びセキュリティを向上できるキーレスエントリシステムを提供することを目的とする
。
【課題を解決するための手段】
【０００９】
上述の課題を解決するために、本発明に係るキーレスエントリシステムは、外部機器の
制御項目を選択不可にする第１の画像、又は、制御項目を選択可能にする第２の画像を表
示する表示装置と、制御項目の選択操作を許可するためのキー信号を所定の範囲内に無線
で送信する無線携帯キーと、第１及び第２の画像を生成し、無線携帯キーから送信される
キー信号を受信し、該受信したキー信号に基づいて、表示装置に表示された第１の画像を
第２の画像に切り換える制御装置とを備えることを特徴とするものである。
【００１０】
本発明に係るキーレスエントリシステムによれば、制御装置が外部機器の制御項目を選
択不可にする第１の画像と、外部機器の制御項目を選択可能にする第２の画像とを生成し
、表示装置が第１の画像を表示していることを前提にして、無線携帯キーを所有している
ユーザが制御装置に近づくと、制御装置は、所定の範囲内において無線携帯キーによって
無線送信される制御項目の選択操作を許可するためのキー信号を受信し、該受信したキー
信号に基づいて、表示装置に表示されていた第１の画像を第２の画像に切り換える。これ
により、第２の画像から外部装置の制御項目が選択操作されることで、外部機器の設定変
更等の制御を許可できるようになる。また、無線携帯キーを所有しているユーザが制御装
置から離れると、制御装置にはキー信号が受信されず、制御装置は、ＬＣＤに第２の画像
が表示されている場合には、第２の画像から第１の画像に切り換え、ＬＣＤに第１の画像
が表示されている場合には、その表示を維持する。これにより、第１の画像からでは外部
装置の制御項目が選択操作できないので、外部装置の制御を禁止できるようになる。
【００１１】
この結果、無線携帯キーと制御装置とが接近又は離間することのみで外部機器の制御を
許可又は禁止できるようになり、外部装置の制御を許可されていない（無線携帯キーを所
有していない）ユーザが制御装置を操作して、外部機器の設定を変更してしまうことを防
止できる。
【発明の効果】
【００１２】
本発明に係るキーレスエントリシステムによれば、無線携帯キーと制御装置とが接近又
は離間することのみで外部機器の制御を許可又は禁止できるので、利便性を向上できる。
また、無線携帯キーを所有していないユーザによる外部機器の設定が変更されてしまうこ
とを防止できるので、セキュリティを向上できる。
【図面の簡単な説明】
【００１３】
【図１】第１の実施の形態に係るキーレスエントリシステム１００の構成例を示すブロック図である。
【図２】フィールド機器６の設定禁止時のキーレスエントリシステム１００の構成例を示すブロック図である。
【図３】無線携帯キー１の構成例を示すブロック図である。
【図４】制御装置３の構成例を示すブロック図である。
【図５】Ａは、ＬＣＤ２に表示される画像２０Ａの表示例を示す説明図であり、Ｂは、ＬＣＤ２に表示される画像２０Ｂの表示例を示す説明図である。
【図６】キーレスエントリシステム１００の動作例を示すフローチャートである。
【図７】第２の実施の形態に係るキーレスエントリシステム１００Ａの構成例を示すブロック図である。
【図８】キーレスエントリシステム１００Ａの動作例（その１）を示すフローチャートである。
【図９】キーレスエントリシステム１００Ａの動作例（その２）を示すフローチャートである。
【発明を実施するための形態】
【００１４】
以下、図面を参照しながら第１の実施の形態に係るキーレスエントリシステム１００及
び第２の実施の形態に係るキーレスエントリシステム１００Ａについて説明する。
【００１５】
［第１の実施の形態］  
＜キーレスエントリシステム１００の構成例＞  
図１は、第１の実施の形態に係るキーレスエントリシステム１００の構成例を示すブロ
ック図である。図２は、フィールド機器６の設定禁止時のキーレスエントリシステム１０
０の構成例を示すブロック図である。図１に示すように、キーレスエントリシステム１０
０は、無線携帯キー１、表示装置の一例である液晶ディスプレイ（以下、ＬＣＤ２という
）及び制御装置３で構成される。更に、キーレスエントリシステム１００は、コントロー
ラ４、Ｉ／Ｏデバイス５及び外部機器の一例であるフィールド機器ａ，ｂ，ｃ（以下、フ
ィールド機器６という）を備える。
【００１６】
無線携帯キー１は、フィールド機器６の制御項目の選択操作を許可するキー信号Ｄ１を
所定の範囲内（例えば、無線携帯キー１を中心に半径２〜３ｍの範囲内）に無線で常に送
信し続ける。図１では、所定の範囲内に制御装置３が存在する。また、図２では、所定の
範囲内に制御装置３が存在しない。
【００１７】
キー信号Ｄ１は、無線携帯キー１で生成しても良いし、予め生成されたものを無線携帯
キー１に記憶しても良い。キー信号Ｄ１は、ＷＥＰ（Wired Equivalent Privacy）や、Ａ
ＥＳ（Advance Encryption Standard）等の暗号化規格によって暗号化される。無線携帯
キー１の無線は、Wifi、Wimax及びBluetooth（登録商標）等の様々な無線規格に対応する
ものである。なお、無線携帯キー１の無線は、独自規格に基づいた無線であっても良い。
無線携帯キー１の構成例については、図３で後述する。
【００１８】
ＬＣＤ２には、フィールド機器６の制御項目を選択不可にする画像（以下、第１の画像
という）及びフィールド機器６の制御項目を選択可能にする画像（以下、第２の画像とい
う）を表示する。ＬＣＤ２は、無線携帯キー１を所有するユーザが、キー信号Ｄ１が届く
範囲（図１参照）まで制御装置３に接近すると第２の画像を表示し、キー信号Ｄ１が届か
ない範囲（図２参照）まで離間すると第１の画像を表示する。
【００１９】
例えば、ＬＣＤ２は、フィールド機器６の制御項目が含まれる画像をＧＵＩ（Graphica
l User Interface）で表示して、ユーザにフィールド機器６が実行している機能やそのパ
ラメータ等を知らせる。ＧＵＩは、ＬＣＤ２に表示される制御項目にマウス等のポインテ
ィングデバイスでカーソルを合わせて当該マウスのボタンを押下することで、制御項目の
パラメータ等を変更可能にするインタフェースである。
【００２０】
なお、表示装置の一例として液晶ディスプレイで説明したが、この表示装置は、プラズ
マディスプレイや、有機ＥＬディスプレイ等のディスプレイであっても構わない。
【００２１】
ＬＣＤ２には制御装置３が接続される。制御装置３は、無線携帯キー１から送信される
キー信号Ｄ１を常に監視し、キー信号Ｄ１を受信する。制御装置３は、第１の画像及び第
２の画像を生成する。そして、制御装置３は、キー信号Ｄ１を受信しないときには第１の
画像をＬＣＤ２に出力して表示させる。制御装置３は、無線携帯キー１から送信されたキ
ー信号Ｄ１を受信すると、ＬＣＤ２に表示されている第１の画像を第２の画像に切り換え
る。また、制御装置３は、第２の画像が表示されている途中でキー信号Ｄ１を受信できな
くなった場合には、ＬＣＤ２に表示されている第２の画像を第１の画像に切り換える。
【００２２】
ここで、制御項目とは、フィールド機器６が実行可能な機能のうち、制御装置３に制御
される処理項目をいう（図５参照）。例えば、制御項目には、流量や圧力、バルブの開閉
等がある。制御装置３の構成例については、図４で後述する。
【００２３】
制御装置３にはコントローラ４が接続される。コントローラ４は、制御装置３からの指
令によってＩ／Ｏデバイス５を介してフィールド機器６を制御する。コントローラ４は、
例えば、メイン制御の制御側コントローラと、この制御側コントローラをバックアップす
る待機側コントローラとを備える冗長化システムで構成される。
【００２４】
制御側コントローラ及び待機側コントローラは、ＣＰＵカード等で構成され、それぞれ
同じ性能を有するものである。例えば、コントローラ４は、制御側コントローラ及び待機
側コントローラを並列して常に稼動させておき、制御側コントローラにフィールド機器６
を制御させる。そして、制御側コントローラが何らかの障害で停止しても、制御側コント
ローラをバックアップしている待機側コントローラに瞬時に切り換えられるようにしてお
く。すると、使用している方のコントローラに障害が発生しても、フィールド機器６は停
止することがない。このような冗長化システムを有するコントローラ４によってキーレス
エントリシステム１００の信頼性が向上する。
【００２５】
コントローラ４にはＩ／Ｏデバイス５が接続される。また、Ｉ／Ｏデバイス５には複数
のフィールド機器６が接続される。つまり、Ｉ／Ｏデバイス５は、コントローラ４とフィ
ールド機器６とを接続するインタフェースである。例えば、Ｉ／Ｏデバイス５は、コント
ローラ４から出力されるフィールド機器６を制御する信号をフィールド機器６に入力する
。また、Ｉ／Ｏデバイス５は、フィールド機器６から出力されるパラメータ情報等をコン
トローラ４に入力する。
【００２６】
Ｉ／Ｏデバイス５にはフィールド機器６が接続される。フィールド機器６は、例えば、
プラント等に設置されるものであって、流量計、圧力センサ及びバルブ開閉器等である。
【００２７】
このように構成された第１の実施の形態に係るキーレスエントリシステム１００は、制
御装置３がフィールド機器６の制御項目を選択不可にする第１の画像と、フィールド機器
６の制御項目を選択可能にする第２の画像とを生成し、ＬＣＤ２が第１の画像を表示して
いることを前提にして、無線携帯キー１を所有しているユーザが制御装置３に近づくと（
図１参照）、制御装置３は、無線携帯キー１から送信された制御項目の選択操作を許可す
るためのキー信号Ｄ１を受信し、該受信したキー信号に基づいて、ＬＣＤ２に表示されて
いた第１の画像を第２の画像に切り換える。これにより、第２の画像からフィールド機器
６の制御項目が選択操作されることで、フィールド機器６の設定変更の制御を許可できる
ようになる。また、無線携帯キー１を所有しているユーザが制御装置３から離れると（図
２参照）、制御装置３にはキー信号Ｄ１が受信されず、制御装置３は、ＬＣＤ２に第２の
画像が表示されている場合には、第２の画像から第１の画像に切り換え、ＬＣＤ２に第１
の画像が表示されている場合には、その表示を維持する。これにより、第１の画像からで
はフィールド機器６の制御項目が選択操作できないので、フィールド機器６の制御を禁止
できるようになる。
【００２８】
＜無線携帯キー１の構成例＞  
次に、無線携帯キー１の構成例について説明する。図３は、無線携帯キー１の構成例を
示すブロック図である。図３に示すように、無線携帯キー１は、電源部１１、信号生成部
１２、送信部１３及び制御部１４を備える。制御部１４には電源部１１、信号生成部１２
及び送信部１３が接続される。
【００２９】
電源部１１は、制御部１４に電源を供給するものである。例えば、電源部１１は、乾電
池、太陽電池及び燃料電池等の各種電池を含む。
【００３０】
信号生成部１２は、制御部１４の指令によってキー信号Ｄ１を生成する。キー信号Ｄ１
は、フィールド機器６の制御を許可する鍵としての機能を有する。つまり、制御装置３が
キー信号Ｄ１を受信すると、フィールド機器６が制御可能になる。
【００３１】
送信部１３は、アンテナ等で構成され、信号生成部１２によって生成されたキー信号Ｄ
１を所定の範囲内に無線で送信する。例えば、所定の範囲は、無線携帯キー１から２〜３
ｍの範囲と設定される。この所定の範囲は、適宜変更可能である。
【００３２】
制御部１４は、無線携帯キー１が有する各部を制御する。例えば、制御部１４は、電源
部１１から供給された電源で駆動して、信号生成部１２にキー信号Ｄ１を生成させる。制
御部１４は、信号生成部１２によって生成されたキー信号Ｄ１を送信部１３に無線で送信
させる。
【００３３】
このように構成された無線携帯キー１は、電源部１１からの電源供給によって制御部１
４は、信号生成部１２によってキー信号Ｄ１を生成させて、送信部によってキー信号Ｄ１
を所定の範囲内に無線で送信させることで制御装置３と通信できるようになる。
【００３４】
＜制御装置３の構成例＞  
次に、制御装置３の構成例について説明する。図４は、制御装置３の構成例を示すブロ
ック図である。図４に示すように、制御装置３は、受信部３１、記憶部３２、画像生成部
３３、ＣＰＵ３４及びＩ／Ｏ部３５を備える。更に、制御装置３は、システムバス３６を
有し、このシステムバス３６を介して受信部３１、記憶部３２、画像生成部３３、ＣＰＵ
３４及びＩ／Ｏ部３５がそれぞれ接続される。
【００３５】
受信部３１は、アンテナ等で構成され、無線携帯キー１の送信部１３から送信されたキ
ー信号Ｄ１を受信する。この受信したキー信号Ｄ１は、記憶部３２に一旦記憶される。
【００３６】
記憶部３２は、上述のキー信号Ｄ１、当該制御装置３を起動させる起動プログラム及び
フィールド機器を制御する制御プログラム等を記憶する。
【００３７】
画像生成部３３は、ＬＣＤ２に表示される画像を生成する。画像生成部３３は、受信部
３１でキー信号Ｄ１を受信しない場合にＬＣＤ２に表示されるフィールド機器６の制御項
目を選択不可にする第１の画像（以下、画像２０Ａという）と（図５Ａ参照）、受信部３
１でキー信号Ｄ１を受信した場合にＬＣＤ２に表示されるフィールド機器６の制御項目を
選択可能にする第２の画像（以下、画像２０Ｂという）を生成する（図５Ｂ参照）。
【００３８】
ＣＰＵ３４は、制御装置３の各部の制御を行うものである。例えば、ＣＰＵ３４は、受
信部３１によって受信されたキー信号Ｄ１を記憶部３２に記憶させたり、記憶部３２に記
憶させたキー信号Ｄ１を読み出して、該読み出したキー信号Ｄ１に基づいて画像生成部３
３で生成された画像２０ＢをＩ／Ｏ部３５に出力したりする。因みに、記憶部３２にキー
信号Ｄ１が記憶されていない場合には、ＣＰＵ３４は、画像生成部３３で生成された画像
２０ＡをＩ／Ｏ部３５に出力する。
【００３９】
Ｉ／Ｏ部３５は、ＬＣＤ２及びコントローラ４と接続しており、画像生成部３３で生成
された画像２０Ａ，２０ＢをＬＣＤ２に出力し、記憶部３２に記憶される起動プログラム
や制御プログラムをコントローラ４に出力するインタフェースの機能を有する。また、Ｉ
／Ｏ部３５は、Ｉ／Ｏデバイス５を介して出力されるフィールド機器６のパラメータ実測
値をコントローラ４から受信する。この受信されたフィールド機器６のパラメータ実測値
は、画像生成部３３によって当該パラメータ実測値を含む画像が生成されることで、ＬＣ
Ｄ２に表示される。
【００４０】
このように構成された制御装置３は、受信部３１によってキー信号Ｄ１が受信されない
と、画像生成部３３がフィールド機器６の制御項目を選択不可にする画像２０ＡをＬＣＤ
２に出力し、受信部３１によってキー信号Ｄ１が受信されると、画像生成部３３がフィー
ルド機器６の制御項目を選択可能にする画像２０ＢをＬＣＤ２に出力するので、フィール
ド機器６の制御を許可又は禁止できるようになる。これにより、フィールド機器６の制御
を許可されていない（無線携帯キー１を所有していない）ユーザが制御装置３を操作して
、フィールド機器６の設定を変更してしまうことを防止できる。
【００４１】
なお、制御装置３にキー信号Ｄ１を受信すると電子音を放音する放音部を設けても良い
。これにより、ユーザは、ＬＣＤ２で画像２０Ａ，２０Ｂを確認しなくても、放音部が放
音する電子音により直ちにフィールド機器６の制御が許可されたか否かを確認できる。
【００４２】
＜ＬＣＤ２の表示例＞  
次に、ＬＣＤ２の表示例について説明する。図５Ａは、制御装置３が無線携帯キー１か
ら送信されたキー信号Ｄ１を受信しないときのＬＣＤ２に表示される画像２０Ａの表示例
を示す説明図であり、図５Ｂは、制御装置３が無線携帯キー１から送信されたキー信号Ｄ
１を受信したときのＬＣＤ２に表示される画像２０Ｂの表示例を示す説明図である。
【００４３】
画像２０Ａ，２０Ｂは、ＧＵＩで構成された画面であり、矢印のポインタＹ１がマウス
等のポインティングデバイスで操作される。例えば、図１のフィールド機器ａを流量計と
し、フィールド機器ｂを圧力センサとし、フィールド機器ｃをバルブ開閉器としたとき、
流量計の設定値枠をＦ１とし、流量計の実測値枠をＦ２とし、圧力センサの設定値枠をＰ
１とし、圧力センサの実測値枠をＰ２とし、バルブ開閉器の開閉状態枠をＶ１とする。
【００４４】
まず、画像２０ＡがＬＣＤ２に表示される場合について説明する。無線携帯キー１と制
御装置３とが所定の距離以上（例えば、３ｍ以上）離間すると（図２参照）、無線携帯キ
ー１から送信されたキー信号Ｄ１が制御装置３に届かないので、制御装置３はキー信号Ｄ
１を受信できない。すると、制御装置３は、画像生成部３３によって生成されたフィール
ド機器６の制御項目を選択不可にする画像２０Ａを、Ｉ／Ｏ部３５を介してＬＣＤ２に出
力する。そして、図５Ａに示すように、ＬＣＤ２は画像２０Ａを表示する。
【００４５】
画像２０Ａは、制御項目を閲覧するユーザのために、フィールド機器６の制御項目の設
定ができないが、制御項目の閲覧ができるようになっている。つまり、設定値枠Ｆ１，Ｐ
１、実測値枠Ｆ２，Ｐ２及び開閉状態枠Ｖ１がグレーアウト（図５Ａでは網点で示す）に
なっていて、ポインタＹ１を実測値枠Ｆ２，Ｐ２又は開閉状態枠Ｖ１に重ね合わせてマウ
スのボタンをクリックしても、流量計、圧力センサ及びバルブ開閉器の設定を受け付けな
いようになっている。
【００４６】
次に、画像２０ＢがＬＣＤ２に表示される場合について説明する。無線携帯キー１と制
御装置３とが接近すると（図１参照）、無線携帯キー１から送信されたキー信号Ｄ１が制
御装置３によって受信される。すると、制御装置３は、画像生成部３３によって生成され
たフィールド機器６の制御項目を選択可能にする画像２０Ｂを、Ｉ／Ｏ部３５を介してＬ
ＣＤ２に出力する。そして、図５Ｂに示すように、ＬＣＤ２の表示が画像２０Ａから画像
２０Ｂに切り換わる。
【００４７】
このとき、ポインタＹ１を流量計の設定値枠Ｆ１に重ね合わせてマウスのボタンをクリ
ックしてキーボード等の入力装置で数値を入力すると、流量を設定できる。この流量は、
例えば、流体物が流量計の取り付けられたパイプ内を流動するとき、流体物の単位時間当
りの流れる量であり、流量計によって測定できる。図５Ｂでは流量が５００ml/minに設定
されている。該設定後、流体物の流量が流量計によって測定されると、その流量に関する
情報が、Ｉ／Ｏデバイス５、コントローラ４及び制御装置３を介してＬＣＤ２に出力され
て流量の実測値として流量計の実測値枠Ｆ２に表示される。実測値枠Ｆ２は、例えばグレ
ーアウトされていて（図５Ｂでは網点で示す）、ポインタＹ１を実測値枠Ｆ２に重ね合わ
せてマウスのボタンをクリックしても流量の数値の変更ができないようになっている。
【００４８】
ポインタＹ１を圧力センサの設定値枠Ｐ１に重ね合わせてマウスのボタンをクリックし
てキーボード等の入力装置で数値を入力すると、気圧を設定できる。この気圧は、例えば
、パイプ内にエアが流動するときの空気圧であり、圧力センサによって測定できる。図５
Ｂでは気圧が２０kPaに設定されている。該設定後、エアの空気圧が測定されると、その
実測値が圧力センサの実測値枠Ｐ２に表示される。実測値枠Ｐ２は、前述の実測値枠Ｆ２
と同様に、グレーアウトされていて、ポインタＹ１を実測値枠Ｐ２に重ね合わせてマウス
のボタンをクリックしても気圧の数値の変更ができないようになっている。
【００４９】
ポインタＹ１をバルブ開閉器の開閉状態枠Ｖ１の黒逆三角形アイコンに重ね合わせてマ
ウスのボタンをクリックすると、「ＯＰＥＮ」又は「ＣＬＯＳＥ」を選択可能な図示しな
い選択枠が表示される。この選択枠から「ＯＰＥＮ」又は「ＣＬＯＳＥ」を選択するとバ
ルブの開放又は閉鎖が設定される。図５Ｂでは「ＯＰＥＮ」が選択されており、バルブが
開放される設定がなされている。
【００５０】
因みに、グレーアウトはソフトウェアのＧＵＩ処理であるために、フィールド機器６の
制御を禁止する際に、ＣＰＵ３４が画像生成部３３に画像２０Ａを生成する命令をしてか
ら、画像生成部３３が画像２０Ａを生成するまでに時間がかかってしまう。しかしながら
、この画像生成命令が出力されてから画像２０Ａが生成されるまでの間にＧＵＩ画面から
フィールド機器６を設定する命令（書き込み命令）がされても、ＣＰＵ３４が書き込み命
令を無効にして破棄する。そのため、画像生成命令が出力されてから画像２０Ａが生成さ
れるまでの間にフィールド機器６の設定が変更されることはない。
【００５１】
このように、ＬＣＤ２は、制御装置３が無線携帯キー１から送信されたキー信号Ｄ１を
受信すると、制御項目を選択不可にする画像２０Ａから制御項目を選択可能にする画像２
０Ｂに切り換わり、制御装置３が無線携帯キー１から送信されたキー信号Ｄ１を受信しな
いと、画像２０Ａの表示を維持する。これにより、ユーザは、ＬＣＤの画像２０Ａ，２０
Ｂを見てフィールド機器６を制御可能か否か判断できるようになる。
【００５２】
なお、無線携帯キー１と制御装置３とが離間して制御装置３がキー信号Ｄ１を受信でき
なくなる例について説明したが、無線携帯キー１の電池（電源部１１）が消費されて電源
を供給できなくなった場合にも制御装置３にはキー信号Ｄ１に受信されず、ＬＣＤ２には
画像２０Ａが表示される。
【００５３】
＜キーレスエントリシステム１００の動作例＞  
次に、キーレスエントリシステム１００の動作例についてフローチャートを用いて説明
する。図６は、キーレスエントリシステム１００の動作例を示すフローチャートである。
制御装置３が有する画像生成部３３が画像２０Ａ，２０Ｂを生成し、ＬＣＤ２は画像２０
Ａを表示していて、フィールド機器６の各種設定ができない状態（設定禁止状態）になっ
ていることを前提とする。
【００５４】
図６に示すように、ステップＳＴ１では、制御装置３は、無線携帯キー１から送信され
るキー信号Ｄ１を受信するために待機状態になっている。無線携帯キー１が制御装置３に
接近して制御装置３がキー信号Ｄ１を受信すると、ステップＳＴ２に移行し、無線携帯キ
ー１が制御装置３から離間していたり、無線携帯キー１の電池が切れていたりして制御装
置３がキー信号Ｄ１を受信しないと、待機状態を維持する。
【００５５】
ステップＳＴ２では、制御装置３は、キー信号Ｄ１に基づいてフィールド機器６の各種
設定ができる状態（設定許可状態）になる。つまり、制御装置３は、画像生成部３３によ
って生成された画像２０ＢをＬＣＤ２に出力し、ＬＣＤ２に表示されている画像２０Ａを
画像２０Ｂに切り換える。これにより、制御装置３は、ユーザがＬＣＤ２に表示された画
像２０Ｂを閲覧しながらマウスを操作して、フィールド機器６の制御項目（例えば、流量
計の設定値、圧力センサの設定値及びバルブの開閉状態等）を設定できるようになる。
【００５６】
なお、図６のステップＳＴ２の終了後、制御装置３が無線携帯キー１からのキー信号Ｄ
１を受信できなくなった場合には、制御装置３は、ＬＣＤ２に表示されている画像２０Ｂ
を画像２０Ａに切り換える。これにより、制御装置３は、ユーザがＬＣＤ２に表示された
画像２０Ａを閲覧できるが、フィールド機器６を制御できないようにすることができる。
【００５７】
このように、第１の実施の形態に係るキーレスエントリシステム１００によれば、無線
携帯キー１と制御装置３とが接近又は離間することのみでフィールド機器６の制御を許可
又は禁止できるので、利便性を向上できる。また、無線携帯キー１を所有していないユー
ザによるフィールド機器６の設定が変更されてしまうことを防止できるので、セキュリテ
ィを向上できる。
【００５８】
［第２の実施の形態］  
本実施の形態では、キーレスエントリシステム１００に入力装置７、指紋認証装置８及
びタイマ９を設けてセキュリティを向上させたキーレスエントリシステム１００Ａについ
て説明する。前述の第１の実施の形態と同じ名称及び符号のものは同じ機能を有するので
、その説明を省略する。
【００５９】
＜キーレスエントリシステム１００Ａの構成例＞  
図７は、第２の実施の形態に係るキーレスエントリシステム１００Ａの構成例を示すブ
ロック図である。図７に示すように、キーレスエントリシステム１００Ａは、無線携帯キ
ー１、ＬＣＤ２及び制御装置３Ａで構成される。更に、キーレスエントリシステム１００
Ａは、コントローラ４、Ｉ／Ｏデバイス５、フィールド機器６、入力装置７及び指紋認証
装置８を備える。
【００６０】
入力装置７は、例えば、ハードウェアスイッチ、キーボード又はマウス等を含むもので
ある。入力装置７は、ＯＮ信号Ｄ２及びＯＦＦ信号Ｄ３を生成する。ＯＮ信号Ｄ２は、フ
ィールド機器６の制御（例えば、制御項目の選択操作）を許可するための信号であり、Ｏ
ＦＦ信号Ｄ３は、フィールド機器６の制御を禁止するための信号である。
【００６１】
指紋認証装置８は、図示しない指紋取得部にユーザが自身の指で触れることによって、
ユーザの指紋を読み取って、該読み取ったユーザの指紋を指紋情報として登録する。指紋
認証装置８は、ユーザが入力装置７を操作することで入力装置７によってＯＮ信号Ｄ２が
生成されると、ユーザの指紋を読み取って、ユーザの指紋と登録した指紋情報とが一致す
るか否かを判断する。指紋認証装置８は、ユーザの指紋と登録した指紋情報とが一致する
と、一致したことを示す認証信号Ｄ４を生成して制御装置３Ａに出力する。
【００６２】
入力装置７及び指紋認証装置８には制御装置３Ａが接続される。制御装置３Ａは、無線
携帯キー１から送信されたキー信号Ｄ１と入力装置によって生成されたＯＮ信号Ｄ２とを
受信してフィールド機器６を制御項目毎に制御する。また、制御装置３Ａは、前述の制御
装置３と同様に、画像２０Ａ，２０Ｂを生成する。
【００６３】
制御装置３Ａは、入力装置７によって生成されたＯＮ信号Ｄ２を受信し、かつ、指紋認
証装置８によって生成された認証信号Ｄ４を受信すると、生成した画像２０ＢをＬＣＤ２
に出力する。また、制御装置３Ａは、指紋認証装置８によって生成された認証信号Ｄ４を
受信しないと、生成した画像２０Ａを出力する。もちろん、制御装置３Ａは、キー信号Ｄ
１及びＯＮ信号Ｄ２を受信した場合には、前述の第１の実施の形態で説明した制御装置３
と同様に、画像２０ＢをＬＣＤ２に出力する。
【００６４】
制御装置３Ａにはタイマ９が設けられる。タイマ９は、所定の時間を経過すると、画像
２０ＡをＬＣＤ２に表示させる。タイマ９の所定の時間は、ユーザによって自在に設定さ
れるものである。例えば、タイマ９を「１０分」に設定したとき、制御装置３が設定許可
状態になってから、つまり、ＬＣＤ２に画像２０Ｂが表示されてから１０分が経過すると
、制御装置３は、キー信号Ｄ１を受信しているにもかかわらず設定禁止状態となりＬＣＤ
２に表示されている画像２０Ｂを画像２０Ａに切り換える。これにより、例えば、ユーザ
が、制御装置３Ａが設定許可状態となる範囲内に無線携帯キー１を置いたままにして制御
装置３Ａから離れてしまっても、制御装置３Ａを設定禁止状態にすることができるので、
よりセキュリティが向上する。
【００６５】
なお、タイマ９は、時間ではなく時刻を設定して、該設定した時刻になったときに制御
装置３Ａを設定禁止状態にするようにしても良い。また、タイマ９によって制御装置３Ａ
が設定禁止状態になっても、入力装置７を操作してＯＮ信号Ｄ２が制御装置３Ａに出力さ
れて、無線携帯キー１からのキー信号Ｄ１を受信している状態にあれば、再び、制御装置
３を設定許可状態にすることが可能である。
【００６６】
このように構成された第２の実施の形態に係るキーレスエントリシステム１００Ａによ
れば、上述のような入力装置７、指紋認証装置８及びタイマ９を備えることで、前述のキ
ーレスエントリシステム１００に比べてよりセキュリティが向上できる。
【００６７】
なお、キー信号Ｄ１を受信しない場合（例えば、無線携帯キー１を持ってくるのを忘れ
た場合や無線携帯キー１の電池がなくなった場合）でも、フィールド機器６を制御しなく
てはならない緊急の場合には、入力装置７が生成するＯＮ信号Ｄ２と指紋認証装置８が生
成する認証信号Ｄ４とから制御装置３Ａを設定許可状態にするように設定してもよい。ま
た、入力装置７でパスワードを設定して、このパスワードを入力することで、制御装置３
Ａを設定許可状態にするように設定してもよい。このような、制御装置３Ａの設定許可状
態及び設定禁止状態の切り換え条件は、適宜変更可能である。
【００６８】
＜キーレスエントリシステム１００Ａの動作例＞  
次に、キーレスエントリシステム１００Ａの動作例についてフローチャートを用いて説
明する。図８は、キーレスエントリシステム１００Ａの動作例（その１）を示すフローチ
ャートである。図９は、キーレスエントリシステム１００Ａの動作例（その２）を示すフ
ローチャートである。制御装置３Ａが画像２０Ａ，２０Ｂを生成し、ＬＣＤ２は画像２０
Ａを表示していて、設定禁止状態になっていることを前提とする。
【００６９】
図８に示すように、ステップＳＴ１１では、制御装置３Ａは、入力装置７から出力され
たＯＮ信号Ｄ２を受信するために待機状態になっている。入力装置７がユーザによって操
作されてＯＮ信号Ｄ２を制御装置３Ａに出力し、制御装置３ＡがＯＮ信号Ｄ２を受信する
と、ステップＳＴ１２に移行し、入力装置７がユーザによって操作されず制御装置３Ａが
ＯＮ信号Ｄ２を受信しないと、そのままＯＮ信号Ｄ２を受信する待機状態を維持する。
【００７０】
ステップＳＴ１２では、制御装置３Ａは、無線携帯キー１から送信されるキー信号Ｄ１
を受信する待機状態になっている。無線携帯キー１が制御装置３Ａに接近して制御装置３
Ａがキー信号Ｄ１を受信すると、ステップＳＴ１３に移行し、無線携帯キー１が制御装置
３から離間していたり、無線携帯キー１の電池が切れていたりして制御装置３がキー信号
Ｄ１を受信しないと、図９に示すステップＳＴ２１に移行する。
【００７１】
ステップＳＴ１３では、制御装置３Ａは、キー信号Ｄ１及びＯＮ信号Ｄ２に基づいてフ
ィールド機器６の制御ができる状態（設定許可状態）になる。つまり、制御装置３Ａは、
生成した画像２０ＢをＬＣＤ２に出力し、ＬＣＤに表示されている画像２０Ａを画像２０
Ｂに切り換える。これにより、制御装置３Ａは、ユーザがＬＣＤ２に表示された画像２０
Ａを閲覧しながらマウスを操作して、フィールド機器６の制御項目（例えば、流量計の設
定値、圧力センサの設定値及びバルブの開閉状態等）を設定できるようになる。
【００７２】
ステップＳＴ１４に移行して、制御装置３Ａが、当該制御装置３Ａに設けられるタイマ
９によって制御装置３Ａをフィールド機器６の制御ができない状態（設定禁止状態）にす
る所定の時間（設定禁止時間）を設定した場合にはステップＳＴ１５に移行し、タイマ９
で設定禁止時間を設定しない場合には、ステップＳＴ１３に戻って、制御装置３Ａは、Ｌ
ＣＤ２に画像２０Ｂを表示させ続ける。
【００７３】
ステップＳＴ１５では、制御装置３Ａは、設定禁止時間を経過するまでは、ＬＣＤ２に
画像２０Ｂを表示させるが、設定禁止時間経過後には、ＬＣＤ２に表示されている画像２
０Ｂを画像２０Ａに切り換える。
【００７４】
図９に示すように、ステップＳＴ２１からステップＳＴ２３では、制御装置３Ａが無線
携帯キー１からのキー信号Ｄ１を受信できないが、ユーザがフィールド機器６の設定変更
をしたい場合の動作例を説明する。
【００７５】
ステップＳＴ２１では、制御装置３Ａは、無線携帯キー１からのキー信号Ｄ１を受信し
ない（ステップＳＴ１２参照）が、入力装置７からのＯＮ信号Ｄ２を受信する（ステップ
ＳＴ１１参照））と、指紋認証装置８を起動させる。
【００７６】
ステップＳＴ２２に移行して、制御装置３Ａは、指紋認証装置８から出力される認証信
号Ｄ４を受信したか否かを監視する。制御装置３Ａは、認証信号Ｄ４を受信するとステッ
プＳＴ２３に移行し、認証信号Ｄ４を受信しないと図８のステップＳＴ１２に戻る。
【００７７】
ステップＳＴ２３では、制御装置３Ａは、入力装置７からパスワードが入力されたか否
かを判断する。このパスワードは、制御装置３Ａが有する記憶部にユーザが予め記憶させ
たものである。制御装置３Ａは、入力装置７からパスワードが入力されるとステップＳＴ
１３に移行し、パスワードが入力されないとステップＳＴ１２に戻る。
【００７８】
なお、図８及び図９のステップＳＴ１１からステップＳＴ２３までの動作中で、入力装
置７を操作してＯＦＦ信号Ｄ３が制御装置３Ａに出力された場合には、制御装置３Ａは、
ＬＣＤ２に表示されている画像２０Ｂを画像２０Ａに切り換える。
【００７９】
このように、第２の実施の形態に係るキーレスエントリシステム１００Ａによれば、無
線携帯キー１と制御装置３Ａとが接近又は離間して、フィールド機器６の制御を許可又は
禁止できることのみならず、制御装置３Ａが無線携帯キー１からのキー信号Ｄ１を受信で
きない場合においても、指紋認証装置８で生成される認証信号Ｄ４や、入力装置７による
パスワード入力によって画像２０Ａから画像２０ＢにＬＣＤ２の表示が切り換わり、フィ
ールド機器６の制御を許可できる。また、タイマ９によって所定の時間を設定すると、所
定の時間経過後、画像２０Ｂから画像２０ＡにＬＣＤ２の表示が切り換わり、フィールド
機器６の制御を禁止できる。
【００８０】
なお、本実施の形態では、制御装置３Ａと入力装置７とを別体にしたが、入力装置７を
ハードウェアスイッチとして制御装置３自体に設けても良い。
【００８１】
また、本実施の形態では、入力装置７が生成するＯＮ信号Ｄ２をトリガーとしてキーレ
スエントリシステム１００Ａを動作させる説明をしたが、指紋認証装置８が生成する認証
信号Ｄ４がトリガーになっても構わない。
【００８２】
また、本実施の形態では、指紋認証装置８について説明したが、ユーザの静脈を検知し
て静脈情報として登録する静脈センサ等、他の本人認証装置を用いても構わない。また、
指紋認証装置８の認証（図９のステップＳＴ２２）をスキップして、入力装置７によるパ
スワード入力のみの認証（図９のステップＳＴ２３）にしても良い。このような設定は適
宜変更可能である。
【符号の説明】
【００８３】
１  無線携帯キー
２  液晶ディスプレイ（表示装置）
３，３Ａ  制御装置
４  コントローラ
５  Ｉ／Ｏデバイス
６  フィールド機器（外部機器）
７  入力装置
８  指紋認証装置
９  タイマ
２０Ａ  第１の画像
２０Ｂ  第２の画像
【図１】
2011091615.tif 000003
【図２】
2011091615.tif 000004
【図３】
2011091615.tif 000005
【図４】
2011091615.tif 000006
【図５】
2011091615.tif 000007
【図６】
2011091615.tif 000008
【図７】
2011091615.tif 000009
【図８】
2011091615.tif 000010
【図９】
2011091615.tif 000011